(57)【要約】【課題】  床暖房パネルのパネル間接続部の位置特定を容易とし、仕上げ床材の剥離を必要最小限として接続部での配線・配管処置を簡便に、効率的に行うことのできる、改善された新しい補修方法を提供する。【解決手段】  床暖房パネル（１）が敷設され、その上に仕上げ床材（２）が敷き詰められた床暖房装置の補修方法であって、床暖房パネル（１）の表面の配線もしくは配管の接続位置を指し示すための所定位置に位置確認プレート（３）を設け、仕上げ床材（２）の上から確認手段を用いて位置確認プレート（３）を検知することで、床暖房パネル（１）の配線もしくは配管の接続部（１１）の位置を確認し、この位置確認プレート（３）の上の仕上げ床材（２）を剥がして床暖房パネルの配線・配管処置を行い、仕上げ床材（２）を再度敷設する。【選択図】図１
2005337570.tif 000002
【特許請求の範囲】
【請求項１】
床暖房パネルが敷設され、その上に仕上げ床材が敷き詰められた床暖房装置の補修方法であって、床暖房パネルの表面の配線もしくは配管の接続位置を指し示すための所定位置に位置確認プレートを設け、仕上げ床材の上から確認手段を用いて位置確認プレートを検知することで、床暖房パネルの配線もしくは配管の接続部分の位置を確認し、この位置確認プレートの上の仕上げ床材を剥がして床暖房パネルの配線・配管処置を行い、仕上げ床材を再度敷設することを特徴とする床暖房装置の補修方法。
【請求項２】
位置確認プレートが床暖房パネルの表面と、並びに床暖房パネルの周囲に周辺床が敷設されている場合にはこの周辺床の表面とも含水率の異なる素材からなるプレートであって、これを非接触で検知することを特徴とする請求項１に記載の床暖房装置の補修方法。
【発明の詳細な説明】
【技術分野】
【０００１】
この出願の発明は、床暖房装置の補修方法に関するものである。さらに詳しくは、この出願の発明は、複数の床暖房パネルを床面に敷設する分離型の床暖房装置においてパネル間の電熱配線や温水配管等の接続部の位置確認を容易としてこれらの補修を簡便に行うことのできる床暖房装置の補修方法に関するものである。
【背景技術】
【０００２】
従来より、電熱加熱のための配線や温水流通のための配管を床材に埋設した各種構造の床暖房装置が知られている（たとえば特許文献１−２）。そしてこのような床暖房装置として、配線や配管を埋設したパネル構成体複数のものを床面に敷設し、各々の床暖房パネルの配線や配管を接続するようにした分離型の床暖房装置が知られている。
【０００３】
通常、上記のような複数の床暖房パネルを敷設する装置においては、基本的には、たとえば、室内の床面の全域あるいは図４のように、所定の一部について、床下地材の上に床暖房パネル（１）を敷設し、配線あるいは配管の接続部（１１）をパネル間で接続した後に、上部に仕上げ床材（２）を配設するようにしている。
【０００４】
このような分離型の床暖房装置は、床面の一部のみであってもパネルの敷設として対応でき、施工性に優れているという特徴を有している。特に、図５にも例示したように、パネル本体（１２）の上面に上記の接続部（１１）を配置している場合には、床暖房パネル（１）の敷設後の接続作業が可能であって、施工性はさらに良好なものとなる。
【特許文献１】特開平１１−６２２０３号公報
【特許文献２】特開２００３−１３５９０号公報
【発明の開示】
【発明が解決しようとする課題】
【０００５】
上記のように特徴のある分離型の床暖房装置ではあるが、その補修に際しての改善策が望まれてもいた。
【０００６】
分離型の床暖房装置においては、床暖房パネル（１）の不具合が生じた場合、その多くは、まず、パネル間の配線や配管の接続部（１１）での不具合が疑われることになり、このような場合には、たとえば図５に示した床暖房装置の仕上げ床材（２）を剥がして接続部（１１）での配線・配管処置が行われることになる。しかしながら、床暖房パネル（１）のおよその位置は配設仕上げ床材（２）の上からでも判るものの、配線や配管のための接続部（１１）の場所を特定することは必ずしも容易ではない。しかも、通常、仕上げ床材（２）の大きさは床暖房パネル（１）に比べて小さい。このため、接続部（１１）の位置特定が容易でないことから、不必要な部位の仕上げ床材（２）を剥がして廃棄することになり、これを交換しなければならず、無駄が生じ、かつ補修施工のための作業時間も長くなるという問題があった。
【０００７】
そこで、この出願の発明は、以上のような背景から、床暖房パネル（１）のパネル間接続部（１１）の位置特定を容易とし、仕上げ床材（２）の剥離を必要最小限として接続部（１１）での配線・配管処置を簡便に、効率的に行うことのできる、改善された新しい補修方法を提供することを課題としている。
【課題を解決するための手段】
【０００８】
この出願の発明は、上記の課題を解決するものとして、第１には、床暖房パネルが敷設され、その上に仕上げ床材が敷き詰められた床暖房装置の補修方法であって、床暖房パネルの表面の配線もしくは配管の接続位置を指し示すための所定位置に位置確認プレートを設け、仕上げ床材の上から確認手段を用いて位置確認プレートを検知することで、床暖房パネルの配線もしくは配管の接続部分の位置を確認し、この位置確認プレートの上の仕上げ床材を剥がして床暖房パネルの配線・配管処置を行い、仕上げ床材を再度敷設することを特徴とする床暖房装置の補修方法を提供する。
【０００９】
また、この出願の発明は、第２には、位置確認プレートが床暖房パネルの表面と、並びに床暖房パネルの周囲に周辺床が敷設されている場合にはこの周辺床の表面とも含水率の異なる素材からなるプレートであって、これを非接触で検知することを特徴とする上記の床暖房装置の補修方法を提供する。
【発明の効果】
【００１０】
この出願の第１の発明によれば、位置確認プレートによって、仕上げ床材の上から床暖房パネルの配線もしくは配管の接続部の位置特定が容易に実現可能とされ、仕上げ床材の不必要な剥離と廃棄をともなうことなしに、簡便かつ効率的な補修施工が可能とされる。
【００１１】
また、第２の発明によれば、位置確認プレートとして、床暖房パネルの表面と含水率の異なる素材、さらには、床暖房パネルの周辺床の表面とも含水率の異なる素材からなるものとすることで、含水率計（水分計）による非接触での簡便、的確な接続部の位置特定が可能になる。
【発明を実施するための最良の形態】
【００１２】
この出願の発明は上記のとおりの特徴をもつものであるが、以下にその実施の形態について説明する。
【００１３】
この出願の発明では、たとえば図１に例示したパネル本体（１２）に電熱ヒーター線あるいは温水流通パイプを埋設した床暖房パネル（１）の表面において、配線もしくは配管の接続部（１１）の位置を指し示すための所定位置に位置確認プレート（３）を設ける。この位置確認プレート（３）については、たとえば図２のような平面配置として、図３のような積層構造で、床下地材（４）の上に敷設された床暖房パネル（１）の上に仕上げ床材（２）が載置された床構造であっても、仕上げ床材（２）の上から、その配置位置が確認できるものとしている。そして、この仕上げ床材（２）の上からの確認のための手段が用いられることになる。
【００１４】
位置確認プレート（３）の配設位置の確認のための手段としては各種の方法が考慮されてよく、たとえば壁裏センサーによる検知方法や、含水率計（水分計）による含水率による検知の方法を採用することができる。このうちの壁裏センサーは、壁裏の木材、プラスチック、金属の配設位置を簡単に検知することのできるものであって、携帯型センサーとして知られている。また、含水率計（水分計）による含水率の測定は、木材、木質材の乾燥の度合を評価するための手段として開発されてきたものである。抵抗方式、高周波方式、マイクロ波方式等の各種のものが知られているが、これらいずれも電気的特性の変化を応用したものである。
【００１５】
この出願の発明においては、含水率計（水分計）のうち、たとえば、非接触での検知を可能とするマイクロ波方式等の手段であって、かつ、携帯型（ハンディータイプ）のものが好適なものの一つとして例示される。
【００１６】
たとえば、以上のような含水率計（水分計）を、仕上げ床材（２）の上からの確認手段として採用することで、床暖房パネル（１）の上部に設けられた配線や配管の接続部（１１）の位置を指示している位置確認プレート（３）の配置位置が簡便に、的確に検知されることになる。このことによって、補修、メンテナンスが必要とされる接続部（１１）の上部の仕上げ床材（２）のみを剥がし、接続部（１１）の配線もしくは配管の処置を行い、再度、仕上げ床材（２）を敷設することで、床暖房パネル（１）を用いた床暖房装置の補修が、簡便、かつ効率的に可能とされる。
【００１７】
そして、上記のような含水率計（水分計）や壁裏センサーによる位置確認プレート（３）の検知を行うためには、位置確認プレート（３）がパネル本体（１２）の木質系等の素材とは異なる素材の、たとえばアルミニウム板等の金属板や樹脂板等とすることが考慮される。含水率計（水分計）を用いる場合には、床暖房パネル（１）の表面と含水率の異なるプレートとして位置確認プレート（３）を構成し、床暖房パネル（１）の配線や配管の接続部（１１）位置を指し示す部位に貼り付けることが考慮される。また、さらには、床暖房パネル（１）は、床面全体ではなく、図２のように床面の一部分に敷設する場合があり、このような場合には、通常、床暖房パネル（１）の周囲には、図３にも示したように、床暖房パネルと略同厚みの周辺床材（５）が配設されることから、位置確認プレート（３）は、床暖房パネル（１）の表面の素材だけでなく、周辺床材（５）とも異なる素材とすること、たとえば含水率計（水分計）を用いる場合には含水率の異なる素材からなるプレートとすることが好適に考慮される。このようなことによって、位置確認プレート（３）の検知は、より的確に可能とされる。
【００１８】
以上のような位置確認プレート（３）は、適宜な手段で、適宜な段階で床暖房パネル（１）に貼付けることができる。たとえば電熱式パネルの場合には、床暖房位置の現場施工の段階で貼付けてもよいし、また温水流通式パネルの場合には製造工場で貼付けてもよい。
【００１９】
もちろん、この出願の発明は、以上の例示説明に限定されることはない。その細部の態様において様々に可能である。
【図面の簡単な説明】
【００２０】
【図１】この出願の発明における位置確認プレートを配設した床暖房パネルを例示した平面図とその要部拡大図である。
【図２】位置確認プレートを配設した床暖房パネルの床面への敷設例を示した平面図である。
【図３】位置確認プレートを配設した床暖房パネルの床面への敷設例を示した断面図である。
【図４】従来の床暖房パネルの床面への敷設例を示した平面図である。
【図５】従来の床暖房パネルの床面への敷設例を示した断面図である。
【符号の説明】
【００２１】
１  床暖房パネル
１１  接続部
１２  パネル本体
２  仕上げ床材
３  位置確認プレート
４  床下地材
【図１】
2005337570.tif 000003
【図２】
2005337570.tif 000004
【図３】
2005337570.tif 000005
【図４】
2005337570.tif 000006
【図５】
2005337570.tif 000007